(57)【特許請求の範囲】
【請求項１】
挿入方向の前方に位置する複数の前列電極部と後方に位置する複数の後列電極部を底部に供えたカードが挿入されるハウジングを有し、前記ハウジングに、前記後列電極部が接触する複数の第１の接触端子と、前記前列電極部が接触する複数の第２の接触端子とが設けられたカード用コネクタにおいて、
前記ハウジングに、外部回路に接続される電力供給用固定端子と前記第１の接触端子のうちの電力供給用接触端子との導通を断続するスイッチ部と、カードが挿入方向と排出方向へ移動するときにその双方の移動に追従する切換え移動部材とが設けられており、
カードが挿入方向へ移動するときに、前記前列電極部が前記電力供給用接触端子を通過した後に、前記切換え移動部材の移動によって前記スイッチ部が動作させられて、前記電力供給用固定端子と前記電力供給用接触端子とが導通させられることを特徴とするカード用コネクタ。
【請求項２】
前記スイッチ部は、前記電力供給用固定端子と一体に設けられた第１の接触接点と、前記電力供給用接触端子と一体に設けられた第２の接触接点と、前記切換え移動部材と共に移動する可動接点とを有し、前記切換え移動部材が挿入方向へ移動すると、前記可動接点が２つの前記接触接点に接触する請求項１記載のカード用コネクタ。
【請求項３】
前記スイッチ部は、前記電力供給用固定端子と一体に設けられた第１の接触接点と、前記電力供給用接触端子と一体に設けられた第２の接触接点とを有し、前記切換え移動部材の挿入方向への移動によって一方の前記接触接点が他方の前記接触接点に接触させられる請求項１記載のカード用コネクタ。
【請求項４】
前記ハウジングに、カードの一部と係合して挿入方向と排出方向へ移動するスライダと、前記スライダを排出方向へ付勢するスライダ付勢部材と、挿入方向へ移動した前記スライダをロックするロック機構とが設けられ、
カードが挿入方向へ移動するときに、カードと共に前記切換え移動部材が挿入方向へ移動するとともに、カードの移動によって前記スライダが挿入方向へ押し込まれ、カードが前記ハウジング内での装填完了位置まで移動したときに前記スライダがロックされ、
前記スライダがロックされた状態で、カードが排出方向へ移動すると、前記切換え移動部材がこれに追従して排出方向へ移動し、前記スイッチ部によって前記電力供給用固定端子と前記電力供給用接触端子との導通が断たれる請求項１ないし３のいずれかに記載のカード用コネクタ。
【請求項５】
前記切換え移動部材と前記スライダとの間に、前記スライダに対して前記切換え移動部材を相対的に移動させる案内部が設けられている請求項４記載のカード用コネクタ。
【請求項６】
前記ハウジングに、カードが装填完了位置まで移動したときに、カードの凹部と嵌合してカードを位置決めする保持凸部が設けられ、
前記保持凸部から外れたカードが排出方向へ移動すると、前記切換え移動部材がこれに追従して排出方向へ移動し、前記スイッチ部によって前記電力供給用固定端子と前記電力供給用接触端子との導通が断たれる請求項１ないし３のいずれかに記載のカード用コネクタ。
【請求項７】
前記切換え移動部材を排出方向へ付勢する切換え付勢部材が設けられている請求項１ないし６のいずれかに記載のカード用コネクタ。
【請求項８】
前記切換え移動部材に、前記カードに係合する係合部が設けられ、前記ハウジング内でカードが挿入方向と排出方向へ移動するときに、前記係合部で係合したカードに追従して前記切換え移動部材が移動する請求項１ないし６のいずれかに記載のカード用コネクタ。
【発明の詳細な説明】
【技術分野】
【０００１】
本発明は、挿入方向の前方に位置する複数の前列電極部と後方に位置する複数の後列電極部とが底部に設けられたカードが装着されるカード用コネクタに係り、カードが挿入されるときに前列電極部に不用意に電力が与えられるのを防止できるカード用コネクタに関する。
【背景技術】
【０００２】
以下の特許文献１には、挿入方向の前方に位置する複数の前列電極部と後方に位置する複数の後列電極部とが底部に設けられたカードが装着されるカード用コネクタが開示されている。
【０００３】
カード用コネクタのハウジングに、カードが正規の装填完了位置に至ったときに後列電極部が接触する第１接触パッドと、前列電極部が接触する第２接触パッドとが設けられている。
【０００４】
ハウジングには、カードが挿入されたときにカードと共に移動するスライダが設けられ、このスライダに搭載された可動接点と、ハウジング内に固定された第１固定接点ならび第２の固定接点との間で第１スイッチが構成されている。
【０００５】
ハウジング内にカードが挿入され、カードと共にスライダがハウジングの奥方向へ移動する際に、カードの前列電極部が第１接触パッドを通過した後に、第１スイッチがオン状態からオフ状態に切り替わる。これにより、第１接触パッドを通過している前列電極部に対して、第１接触パッドから誤って電力が供給されるなどの不都合が生じにくくなっている。
【先行技術文献】
【特許文献】
【０００６】
【特許文献１】特開２００９−２６６５６７号公報
【発明の概要】
【発明が解決しようとする課題】
【０００７】
特許文献１に記載されたカード用コネクタは、第１スイッチの動作情報が、固定端子から外部の信号制御部に与えられる。外部の信号制御部では、第１スイッチがオフ状態となったときに、カード用コネクタの第１接触パッドと第２接触パッドへの信号の送受信の制御が開始される。
【０００８】
そのため、カード用コネクタを使用するためには、第１スイッチの動作を監視する機能を備えた信号制御部を別途に用意することが必要となり、カード用コネクタが装備される電子機器の回路負担が大きくなる。また、このカード用コネクタを、前記信号制御部を備えていない既存の電子機器に設置することができない。
【０００９】
特許文献１に記載されたカード用コネクタは、第１スイッチを動作させる可動接点がスライダに装備されており、第１のスイッチはスライダによってのみ動作させられる。そのため、スライダがハウジングの奥側へ移動してロックされて、第１スイッチがオフ状態に切り換えられ、第１接触パッドと第２接触パッドに通電されているときに、カードだけがハウジングから強引に抜き取られると、通電中の第１の接触パッドに、移動中の前列電極部が接触してしまい、前列電極部に不要な電力が供給される不都合が生じる。
【００１０】
本発明は上記従来の課題を解決するものであり、外部に特別な信号制御部を設ける必要がなく、カードの前列電極部に予期しない電力が供給されるのを防止できるカード用コネクタを提供することを目的としている。
【００１１】
また、本発明は、ハウジング内の装填完了位置に設置されているカードが強引に引き抜かれたときにも、カードの前列電極部に予期しない電力が供給されるのを防止できるカード用コネクタを提供することを目的としている。
【課題を解決するための手段】
【００１２】
本発明は、挿入方向の前方に位置する複数の前列電極部と後方に位置する複数の後列電極部を底部に供えたカードが挿入されるハウジングを有し、前記ハウジングに、前記後列電極部が接触する複数の第１の接触端子と、前記前列電極部が接触する複数の第２の接触端子とが設けられたカード用コネクタにおいて、
前記ハウジングに、外部回路に接続される電力供給用固定端子と前記第１の接触端子のうちの電力供給用接触端子との導通を断続するスイッチ部と、カードが挿入方向と排出方向へ移動するときにその双方の移動に追従する切換え移動部材とが設けられており、
カードが挿入方向へ移動するときに、前記前列電極部が前記電力供給用接触端子を通過した後に、前記切換え移動部材の移動によって前記スイッチ部が動作させられて、前記電力供給固定端子と前記電力供給接触端子とが導通させられることを特徴とするものである。
【００１３】
本発明のカード用コネクタは、ハウジングに設けられた電力供給用固定端子と電力供給用接触端子との導通がスイッチ部によって断続される。スイッチ部によってハウジング内の回路の導通が断続される構造であるため、スイッチ部の動作を外部の信号制御部で監視する必要がなく、電力供給用固定端子に外部からの電力を供給し続けることが可能である。
【００１４】
本発明では、スイッチ部を動作させる切換え移動部材が、カードの挿入方向と排出方向の双方の移動に追従する。そのため、ハウジング内の装填完了位置に装着されたカードが引き抜かれるときに、カードの移動に応じてスイッチ部を動作させることができ、引き抜き方向へ移動するカードの前列電極部が第１の接触端子を通過するときに、第１の接触端子への電力の通電を断つことができる。よって、前列電極部に誤って電力が供給されるのを防止できる。
【００１５】
本発明は、前記スイッチ部は、前記電力供給用固定端子と一体に設けられた第１の接触接点と、前記電力供給用接触端子と一体に設けられた第２の接触接点と、前記切換え移動部材と共に移動する可動接点とを有し、前記切換え移動部材が挿入方向へ移動すると、前記可動接点が２つの前記接触接点に接触するものである。
【００１６】
あるいは、前記スイッチ部は、前記電力供給用固定端子と一体に設けられた第１の接触接点と、前記電力供給用接触端子と一体に設けられた第２の接触接点とを有し、前記切換え移動部材の挿入方向への移動によって一方の前記接触接点が他方の前記接触接点に接触させられるものである。
【００１７】
本発明のカード用コネクタは、前記ハウジングに、カードの一部と係合して挿入方向と排出方向へ移動するスライダと、前記スライダを排出方向へ付勢するスライダ付勢部材と、挿入方向へ移動した前記スライダをロックするロック機構とが設けられ、
カードが挿入方向へ移動するときに、カードと共に前記切換え移動部材が挿入方向へ移動するとともに、カードの移動によって前記スライダが挿入方向へ押し込まれ、カードが前記ハウジング内での装填完了位置まで移動したときに前記スライダがロックされ、
前記スライダがロックされた状態で、カードが排出方向へ移動すると、前記切換え移動部材がこれに追従して排出方向へ移動し、前記スイッチ部によって前記電力供給用固定端子と前記電力供給用接触端子との導通が断たれるものとして構成できる。
【００１８】
上記発明では、カードを保持したスライダがハウジング内でロックされているときに、カードが強引に引き抜かれた場合に、切換え移動部材をカードに追従させて排出方向へ移動させることができる。そのため、スイッチ部を動作させて、第１の接触端子への通電を遮断することが可能である。
【００１９】
この場合に、前記切換え移動部材と前記スライダとの間に、前記スライダに対して前記切換え移動部材を相対的に移動させる案内部が設けられているものが好ましい。
【００２０】
切換え移動部材とスライダとを、相対的に移動できるように組み合わせることで、個別に移動する切換え移動部材とスライダの双方を狭いハウジング内に配置しやすくなる。
【００２１】
本発明は、前記ハウジングに、カードが装填完了位置まで移動したときに、カードの凹部と嵌合してカードを位置決めする保持凸部が設けられ、
前記保持凸部から外れたカードが排出方向へ移動すると、前記切換え移動部材がこれに追従して排出方向へ移動し、前記スイッチ部によって前記電力供給固定端子と前記電力供給接触端子との導通が断たれるものであってもよい。
【００２２】
本発明のカード用コネクタでは、前記切換え移動部材を排出方向へ付勢する切換え付勢部材が設けられている。あるいは、前記切換え移動部材に、前記カードに係合する係合部が設けられ、前記ハウジング内でカードが挿入方向と排出方向へ移動するときに、前記係合部で係合したカードに追従して前記切換え移動部材が移動する。
【発明の効果】
【００２３】
本発明のカード用コネクタは、ハウジングに設けられた電力供給用固定端子と電力供給用接触端子の導通がスイッチ部によって断続される構造である。そのため、カード用コネクタが取り付けられる電子機器に、スイッチ部を監視する信号制御部を設ける必要がなくなる。また、本発明のカード用コネクタを従来のものに置き換えて電子機器に装備させることも容易になる。
【００２４】
本発明では、カードの挿入方向と排出方向の双方の移動に追従してスイッチ部が動作するために、一度ハウジング内の装填完了位置に装着されたカードが強引に引き抜かれたときに、スイッチ部を動作させて、第１の接触端子への電力の通電を断つことができる。そのため、カードの前列電極部に誤って電力が供給されるのを防止できる。
【図面の簡単な説明】
【００２５】
【図１】本発明の第１の実施の形態のカード用コネクタを示す斜視図、
【図２】図１に示すカード用コネクタのハウジング内の構造を示す斜視図、
【図３】切換え移動部材を含むスイッチ部とスライダを示す分解斜視図、
【図４】カード用コネクタに装填されるカードの斜視図、
【図５】カード用コネクタに装填されるカードの底面図、
【図６】カードがハウジングに挿入されてカードがスライダに保持されたときのハウジングの内部構造を示す平面図、
【図７】カードが装填完了位置に移動してスライダがロックされたときのハウジングの内部構造を示す平面図、
【図８】スライダがロックされているときにカードが強引に引き抜かれたときのハウジングの内部構造を示す平面図、
【図９】本発明の第２の実施の形態のカード用コネクタにおいて、カードが挿入されている状態を示す透視平面図、
【図１０】本発明の第２の実施の形態のカード用コネクタにおいて、カードが装填完了位置に移動して保持されている状態を示す透視平面図、
【図１１】第２の実施の形態のカード用コネクタにおいて、切換え移動部材を含むスイッチ部の構造を示す分解斜視図、
【図１２】第１の実施の形態と第２の実施の形態のカード用コネクタの変形例を示す平面図、
【図１３】ハウジング内でのカードの移動と、これに伴うスイッチ動作を示す説明図、
【発明を実施するための形態】
【００２６】
図１に、本発明の第１の実施の形態のカード用コネクタ１０と、このカード用コネクタ１０に装填されるカード１とが示されている。
【００２７】
カード１の詳細は図４と図５に示されている。このカード１は、合成樹脂製ケース２を有しており、ケース２の内部に電子回路が内蔵されている。電子回路は、記憶回路とこれに付随する制御回路などを含んでいる。
【００２８】
カード１のケース２は、カード用コネクタ１０への挿入方向（Ｙ１方向）に向けられる前端部２ａと、カード用コネクタ１０からの排出方向（Ｙ２方向）に向けられる後端部２ｂと、挿入方向の右側に位置する右側部２ｃおよびこれと逆向きの左側部２ｄを有している。図４において上に向いているのが上部２ｅであり、下に向いているのが底部２ｆである。
【００２９】
ケース２の右側部２ｃには、後方へ向けて傾斜している押圧部３が形成され、それよりも後方に凹部４が一体に形成されている。
【００３０】
図５に示すように、カード１の底部すなわちケース２の底部２ｆに、複数の電極部が設けられている。この電極部は、ケース２の前端部２ａと後端部２ｂのほぼ中央部に位置する複数の後列電極部５と、それよりも挿入方向の前方で前端部２ａに近い位置に配列する前列電極部６とに別れている。複数の後列電極部５と複数の前列電極部６は、導電性の金属材で平坦な形状に形成されており、それぞれが、ケース２の内部回路に接続されている。
【００３１】
図５に示すように、複数の後列電極部５は左右方向に間隔を空けて配列しているが、後列電極部５のうちの左側部２ｄに最も近い位置にあるのが、電力供給用（電源用）電極部５ａである。他の後列電極部５は、信号伝達用電極部や接地用電極部である。前列電極部６も左右方向に間隔を空けて配列している。複数の前列電極部６は、電力供給用（電源用）電極部と信号伝達用電極部および接地用電極部を含んでいる。
【００３２】
図１に示すように、カード用コネクタ１０はハウジング１１を有している。ハウジング１１は、図２に示す合成樹脂製のハウジング基台１２と、このハウジング基台１２の上部を覆う金属製のハウジング蓋体１３とで構成されている。
【００３３】
図２に示すように、ハウジング基台１２には、薄肉の底板部１２ａと、右側部において厚肉に形成された機構支持部１２ｂと、挿入方向（Ｙ１方向）の前方で底板部１２ａから立ち上がる前方壁部１２ｃとが一体に形成されている。
【００３４】
図１に示すように、ハウジング蓋体１３は、平坦な天井板部１３ａと、左側部において天井板部１３ａから直角に折り曲げられた左側板部１３ｂと、右側部において天井板部１３ａから直角に折り曲げられた右側板部１３ｃを有している。
【００３５】
ハウジング基台１２にハウジング蓋体１３が組み合わされると、ハウジング蓋体１３の天井板部１３ａがハウジング基台１２の機構支持部１２ｂの上面に設置され、ハウジング蓋体１３の左側板部１３ｂと右側板部１３ｃが、それぞれハウジング基台１２の左側面と右側面に設置される。その結果、ハウジング基台１２の底板部１２ａとハウジング蓋体１３の天井板部１３ａとの間にカード１の装填空間１４が形成される。
【００３６】
装填空間１４の開口幅寸法Ｗは、ハウジング基台１２の底板部１２ａと機構支持部１２ｂとの段差部１２ｄから、ハウジング蓋体１３の左側板部１３ｂの内面までの内幅寸法に等しい。装填空間１４の上下方向の開口寸法は、ハウジング基台１２の底板部１２ａの上面からハウジング蓋体１３の天井板部１３ａの内面までの内幅寸法に等しい。そして、ハウジング１１には、前記装填空間１４が排出方向（Ｙ２方向）に開口する挿入口１４ａが形成されている。
【００３７】
図２に示すように、ハウジング基台１２の底板部１２ａには、排出方向（Ｙ２方向）側に、複数の第１の接触端子２０が設けられ、挿入方向（Ｙ１方向）側に、複数の第２の接触端子２８が設けられている。第１の接触端子２０と第２の接触端子２８は、横方向に間隔を空けて設けられている。複数の第１の接触端子２０と複数の第２の接触端子２８は、いずれもリン青銅などの導電性でばね性を有する金属材で形成されており、表面にニッケルメッキ層および金メッキ層などが形成されている。
【００３８】
複数の第１の接触端子２０のうち、最も左側に位置しているのが電力供給用接触端子２１であり、他の接触端子２２は、信号伝達用端子および接地用端子などである。図２に示すように、電力供給用接触端子２１の基端部２１ａと複数の他の接触端子２２の基端部２２ａは、ハウジング基台１２の底板部１２ａに、インサート成型法によって埋設されて保持されている。そして、底板部１２ａから突出している部分がそれぞれ弾性変形可能な弾性片となっている。電力供給用接触端子２１の弾性片の先端に接触部２１ｂが設けられ、接触部２１ｂが底板部１２ａの上面よりも上方に位置している。他の接触端子２２の弾性片の先端にも接触部２２ｂが設けられ、それぞれの接触部２２ｂが底板部１２ａの上面よりも上方に位置している。
【００３９】
図６に示すように、電力供給用接触端子２１の基端部２１ａから連続して延びる配線体２３が設けられている。配線体２３は、第１の接触端子２０と第２の接触端子２８との間を通過して右方向に延び、配線体２３の右側の端部に、第２の接触接点２４が一体に形成されている。電力供給用接触端子２１と配線体２３と第２の接触接点２４は１つの金属材で連続して形成されている。電力供給用接触端子２１の基端部２１ａと配線体２３は、ハウジング基台１２の底板部１２ａの内部に埋設されている。図３に示すように、第２の接触接点２４は、底板部１２ａの上面から上向きの突出して弾性変形可能な弾性接点となっている。
【００４０】
図６に示すように、カード用コネクタ１０の挿入方向（Ｙ１方向）の右側部に、電力供給用固定端子２５が設けられている。電力供給用固定端子２５は、第１の接触端子２０などと同じ金属材で形成され、Ｙ２側に第１の接触接点２６が一体に連続している。電力供給用固定端子２５は、ハウジング基台１２の底板部１２ａにインサート成型法によって埋設されている。図２と図３に示すように、第１の接触接点２６は、底板部１２ａの上面から上方へ突出して、弾性変形可能な弾性接点となっている。第１の接触接点２６と第２の接触接点２４は、左右に並んで配置されている。電力供給用固定端子２５の一部に、ハウジング基台１２からさらにＹ１方向に突出する外部接続端子２５ａが一体に形成されている。
【００４１】
図２に示すように、第１の接触端子２０のうちの複数の他の接触端子２２にはＹ２方向に延びる外部接続端子２２ｃが一体に形成されており、それぞれの外部接続端子２２ｃが、ハウジング基台１２の底板部１２ａからＹ２方向へ突出している。
【００４２】
図２に示すように、Ｙ１側に配列している複数の第２の接触端子２８のそれぞれは、電力供給用接触端子と信号伝達用端子および接地用端子のいずれかとして機能している。第２の接触端子２８の基端部２８ａは、ハウジング基台１２の底板部１２ａにインサート成型法によって埋設されて保持され、底板部１２ａから突出している部分が弾性変形可能な弾性片となっている。それぞれの弾性片の先端部に接触部２８ｂが形成されており、接触部２８ｂが、底板部１２ａの上面よりも上方に位置している。
【００４３】
図６に示すように、複数の第２の接触端子２８には、配線体２９が連続している。第２の接触端子２８と配線体２９は、個別に連続するように、金属材で一体に形成されている。それぞれの配線体２９に外部接続用端子２９ａが一体に形成されており、それぞれの外部接続用端子２９ａが、ハウジング基台１２の底板部１２ａからＹ１方向へ突出している。
【００４４】
図２に示すように、ハウジング基台１２の機構支持部１２ｂに凹部１２ｅが形成されており、凹部１２ｅの内部にスライダ３０が収納されている。スライダ３０は、図６に示す初期位置（ｉ）から図７に示すオーバーストローク位置（ｉｉ）の間でＹ１−Ｙ２方向へ直線的に移動できるように案内されている。
【００４５】
図２に示すように、凹部１２ｅの内部のＹ１側に、スライダ付勢部材３１が設置されている。スライダ付勢部材３１は圧縮コイルスプリングであり、その弾性力によって、スライダ３０が常に初期位置（ｉ）に向けてＹ２方向へ付勢されている。
【００４６】
スライダ３０は合成樹脂製であり、図２と図３および図６に示すように、上面から窪んで形成されたカム溝３２が形成されている。このカム溝３２は、いわゆるハートロックカム溝である。
【００４７】
ハウジング基台１２とハウジング蓋体１３との間に可動ピン３３が配置されている。図３に示すように、可動ピン３３にはＹ２側に支点部３３ａが折り曲げられ、Ｙ１側に摺動部３３ｂが折り曲げられている。支点部３３ａが、図２に示すハウジング基台１２に形成された支持凹部１２ｆに回動自在に挿入され、摺動部３３ｂがカム溝３２の内部に挿入されている。図１に示すように、ハウジング蓋体１３の天井板部１３ａに板ばね部１３ｄが一体に形成されており、この板ばね部１３ｄによって、可動ピン３３が、ハウジング基台１２およびカム溝３２に押し付けられている。カム溝３２と可動ピン３３と板ばね部１３ｄとでロック機構が構成されている。
【００４８】
スライダ３０が、図６に示す初期位置（ｉ）から挿入方向であるＹ１方向へ押し込まれ、図７に示すオーバーストローク位置（ｉｉ）に至ると、可動ピン３３の摺動部３３ｂがカム溝３２のロック部３２ａに対向する位置に案内される。その後スライダ３０に対する押し込み力が解除されると、スライダ３０がスライダ付勢部材３１の付勢力によってＹ２方向へ戻され、摺動部３３ｂがロック部３２ａと嵌合し、スライダ３０がロック位置（ｉｉｉ）でロックされて停止する。
【００４９】
スライダ３０がロック位置（ｉｉｉ）からＹ１方向へ押されると、可動ピン３３の摺動部３３ｂがロック部３２ａから外れ、スライダ３０がスライダ付勢部材３１の付勢力によって初期位置（ｉ）まで戻される。
【００５０】
図２と図３および図６に示すように、スライダ３０には、左方向ならびに挿入方向の双方へ向けて斜めに延びる押圧力作用部３４と、それよりもＹ２側において左方向へ突出する保持凸部３５とが一体に形成されている。図３に示すように、スライダ３０の左側の側面には、案内部３７ａ，３７ｂが形成されている。この案内部３７ａ，３７ｂは、Ｙ１−Ｙ２方向へ貫通するスリットである。
【００５１】
図２に示すように、ハウジング基台１２の凹部１２ｅの内部に切換え移動部材４０が設けられている。切換え移動部材４０は導電性の金属材で形成されている。図３に示すように、切換え移動部材４０の平坦な部分が可動接点４１である。第１の接触接点２６および第２の接触接点２４と、可動接点４１とで第１のスイッチ部ＳＷ１が構成されている。第１のスイッチ部ＳＷ１では、切換え移動部材４０がＹ１方向へ移動すると、可動接点４１が第１の接触接点２６と第２の接触接点２４の双方に乗り上がり、第１の接触接点２６と第２の接触接点２４とが導通状態となる。切換え移動部材４０がＹ２方向へ移動すると、可動接点４１が第１の接触接点２６と第２の接触接点２４の双方から離れ、第１の接触接点２６と第２の接触接点２４との導通が断たれる。
【００５２】
図３に示すように、可動接点４１の右側の側部には上方に向けて折り曲げられた摺動部４２が一体に形成されている。この摺動部４２が、スライダ３０に形成されたスリットである案内部３７ａ，３７ｂに摺動自在に挿入されて、切換え移動部材４０が、スライダ３０に対して、相対的にＹ１−Ｙ２方向へ移動自在に組み合わされて保持されている。
【００５３】
切換え移動部材４０には、Ｙ１側端部で可動接点４１から上向きに折り曲げられたストッパ部４３が設けられている。図２に示すように、ハウジング基台１２の凹部１２ｅ内に、切換え付勢部材４５が設けられている。切換え付勢部材４５は圧縮コイルスプリングである。切換え付勢部材４５からストッパ部４３に付勢力が作用し、切換え移動部材４０は常にＹ２方向へ付勢されている。
【００５４】
図３に示すように、切換え移動部材４０には、Ｙ２側において可動接点４１から上向きに折り曲げられた連結部４４が設けられている。連結部４４は、左方向とＹ１方向の双方へ向けて斜めに延びている。この連結部４４が、押圧力作用部３４に当たったときが、スライダ３０に対する切換え移動部材４０のＹ１方向への相対的な移動範囲の終端となる。
【００５５】
切換え移動部材４０が、スライダ３０に形成された案内部３７ａ，３７ｂによって相対的に移動できるように案内されて保持されているため、ハウジング基台１２に切換え移動部材４０をＹ１−Ｙ２方向へ案内するために案内構造を設ける必要がなくなる。また、切換え移動部材４０がスライダ３０に上下に重ねられて配置されているため、ハウジング基台１２に設けられた狭い機構支持部１２ｂにおいて、スライダ３０と切換え移動部材４０の双方を移動自在に支持できるようになる。よって、ハウジング基台１２を小型で薄型に形成しやすくなる。
【００５６】
なお、前記実施の形態では、切換え付勢部材４５がハウジング基台１２に形成された凹部１２ｅ内に収納されているが、切換え付勢部材４５が、スライダ４５に形成された凹部の内部に収容されてもよい。この構成では、切換え移動部材４０と切換え付勢部材４５をスライダ４５に組み込んだものを１つの組立体として取り扱うことができ、組立作業が容易になる。またハウジング基台１２の凹部１２ｅは、スライダ４５を収納できる大きさであればよいため、ハウジング基台１２が大型化することもない。
【００５７】
図６に示すように、カード用コネクタ１０の挿入方向（Ｙ１方向）の奥側端部に第２のスイッチ部ＳＷ２が設けられている。第２のスイッチ部ＳＷ２は、第３の接触接点５２を有している。第３の接触接点５２は、導電性かつ弾性を有する金属材で形成されており、ハウジング基台１２の底板部１２ａの上面よりも上方に位置している。第３の接触接点５２の基端部５２ｂは、底板部１２ａに埋設されている。前記基端部５２ｂに外部接続用端子５２ａが一体に形成されており、図２に示すように、この外部接続用端子５２ａが、底板部１２ａよりもＹ１側に突出している。
【００５８】
図６に示すように、第２のスイッチ部ＳＷ２に、可動接点５３が設けられている。この可動接点５３は弾性変形可能な弾性片５４の先部に一体に形成されているが、この弾性片５４は、ハウジング蓋体１３を構成する金属材の一部で形成されている。ハウジング蓋体１３はその一部において外部の接地電位部に接触させることで接地電位に設定されており、装填されるカードの前端部２ａで可動接点５３が押されて、可動接点５３が第３の接触接点５２に接触することで、第２のスイッチ部ＳＷ２がオン状態に切り換えられる。
【００５９】
次に、主に図６、図７、図８および図１３を参照して、カード用コネクタ１０へのカードの装填動作について説明する。図１３は、カード用コネクタ１０内でカードが移動するときの、後列電極部５および前列電極部６と、電源供給用接続端子２１および第２の接触端子２８との接触状態の変化、ならびに第１のスイッチ部ＳＷ１、第２のスイッチ部ＳＷ２の切り替わり動作を示している。なお、図１３は、第１のスイッチ部ＳＷ１と第２のスイッチ部ＳＷ２の切換えタイミングを説明するものであるため、スイッチ部ＳＷ１と第２のスイッチ部ＳＷ２の構造は前記実施の形態に比べ簡略化して記載されている。
【００６０】
ハウジング１１の内部にカードが挿入されていないときは、スライダ３０が、図６に示すように、Ｙ２方向へ移動した初期位置（ｉ）にある。切換え移動部材４０には、切換え付勢部材４５からＹ２方向への付勢力が作用しているため、初期位置（ｉ）に停止しているスライダ３０に対して切換え移動部材４０が相対的にＹ２方向へ移動させられている。そして、切換え移動部材４０の連結部４４が、スライダ３０の押圧力作用部３４から離れて、図６の位置よりもさらにＹ２方向へ移動した状態となっている。
【００６１】
カード１は前端部２ａを前向きにしてハウジング１１の挿入口１４ａから装填空間１４に向かってＹ１方向へ挿入される。Ｙ１方向へ移動するカード１が、図６に示す位置に至る途中で、図１３（Ａ）に示すように、カード１の前列電極部６のうちの少なくとも１つが、第１の接触端子２０のうちの電力供給用接触端子２１の接触部２１ｂと接触しながらＹ１方向へ移動する。そして、カード１が図６に示す位置に至ると、図１３（Ｂ）に示すように、前列電極部６が、電力供給用接触接点２１を含む第１の接触接点２０よりもＹ１側へ移動して離れる。
【００６２】
カード１が挿入口１４ａから挿入されて図６に示す位置へ至る過程で、カード１の押圧部３によって、切換え移動部材４０の連結部４４がＹ１方向へ押され、スライダ３０が初期位置（ｉ）で停止したままの状態で、切換え移動部材４０が相対的にＹ１方向へ移動する。ただし、カード１が挿入されてから図６の位置に至る間、第１のスイッチ部ＳＷ１では、切換え移動部材４０と一体の可動接点４１が、第１の接触接点２６および第２の接触接点２４と接触する位置に至っておらず、第１の接触接点２６と第２の接触接点２４とが導通せずに、第１のスイッチ部ＳＷ１がオフ状態を継続する。
【００６３】
この種のカード用コネクタ１０では、通常は、電力供給用固定端子２５に対して外部から電源電圧が印加され続けられているが、第１のスイッチ部ＳＷ１がオフ状態であれば、電力供給用接触端子２１に電源電圧が印加されることがない。したがって、図１３（Ａ）に示すように、図６に示す位置に向かって挿入されるカード１の前列電極部６が、第１の接触端子２０の電力供給用接触端子２１に一時的に接触しても、前列電極部６に対して、誤って電力が供給される誤動作は生じない。
【００６４】
カード１が図６に示す位置まで挿入されると、カード１の押圧部３によって、切換え移動部材４０の連結部４４がスライダ３０の押圧力作用部３４に押し付けられる。このとき、スライダ３０の保持凸部３５がカード１の凹部４に入り込み、カード１の右側部２ｃが、スライダ３０の押圧力作用部３４と保持凸部３５との間で挟まれて保持される。
【００６５】
カード１が挿入口１４ａから挿入されるときに、押圧部３の傾斜面によってスライダ３０の保持凸部３５が右方向へ押し込まれ、カード１が図６の位置に至ったときに、保持凸部３５が凹部４に入り込む。保持凸部３５がこのように動作するためには、スライダ３０に形成された薄肉部に保持凸部３５が形成されることが好ましい。または保持凸部３５が板ばね材料などの弾性を有する材料で形成されることが好ましい。
【００６６】
図６の状態から、さらにカード１がＹ１方向へ押し込まれると、カード１の押圧部３によって、切換え移動部材４０の連結部４４がＹ１方向へ押され、この連結部４４によってスライダ３０の押圧作用部３４がＹ１方向へ押され、カード１と切換え移動部材４０とスライダ３０とが一緒にＹ１方向へ移動する。
【００６７】
図１３（Ｃ）に示すように、カード１と共にスライダ３０がＹ１方向へ移動している途中で、切換え移動部材４０と一体の可動接点４１が、第１の接触接点２６と第２の接触接点２４の上に乗り上がり、第１の接触接点２６と第２の接触接点２４とが導通して第１のスイッチ部ＳＷ１がオン状態に切り換えられる。そして、電源供給用固定端子２５から電力供給用接触端子２１に電源電圧が供給される。この時点では、カード１の前列電極部６が電力供給用接触端子２１の接触部２１ｂを通過してＹ１方向へ離れているため、電力供給用接触端子２１の電圧が前列電極部６に影響を与えることがない。
【００６８】
図１３（Ｃ）に示すように、第１のスイッチ部ＳＷ１がオンに切り換えられた後、図１３（Ｄ）に示すように、カード１と共にＹ１方向へ移動するスライダ３０がロック位置（ｉｉｉ）を通過する直前に、カード１の前端部２ａで可動接点５３が押されて、可動接点５３が第３の接触接点５２に乗り上がって導通状態になり、第２のスイッチ部ＳＷ２がオン状態になる。
【００６９】
カード１で押されたスライダ３０が図７に示すオーバーストローク位置（ｉｉ）へ移動し、カード１に与えられる押し込み力が除去されると、スライダ付勢部材３１の付勢力によってスライダ３０がＹ２方向へわずかに戻されて、図７に示すロック位置（ｉｉｉ）に至り、スライダ３０がロック機構によりロックされて、カード１が装填完了位置において停止する。このとき、第１のスイッチ部ＳＷ１と第２のスイッチ部ＳＷ２の双方がオン状態である。
【００７０】
すなわち、カード１が挿入される過程では、図１３（Ｂ）に示すように、カードの前列電極部６が第１の接触端子２０の電力供給接触端子２１を通過して接触部２１ｂから離れた後に、図１３（Ｃ）に示すように第１のスイッチ部ＳＷ１がオン状態となる。
【００７１】
第１のスイッチ部ＳＷ１がオン状態に切り替わる以前に、カード１の後列電極部５のうちの電力供給用（電源用）電極部５ａが電力供給用接触端子２１に接触しており、あるいは第１のスイッチ部ＳＷ１がオン状態になった後に、電力供給用（電源用）電極部５ａが電力供給用接触端子２１に接触する。これにより、カード１の後列電極部５のうちの電力供給用（電源用）電極部５ａへの電力の供給が開始される。
【００７２】
第１のスイッチ部ＳＷ１がオン状態になった後に、電力供給用電極部５ａが電極供給用接触端子２１と接触する場合には、第１のスイッチ部ＳＷ１のチャタリングによる影響を軽減させることができる。
【００７３】
また、第２の接触端子２８のうちの電力供給用接触端子には、電源電圧が供給され続けており、カード１の前列電極部６の電力供給用（電源用）電極部が電力供給用接触端子に接触した時点で、前列電極部６に電力が供給される。
【００７４】
カード１の後列電極部５と前列電極部６に電源電圧が供給され始めた後に、図１３（Ｄ）に示すように、第２のスイッチ部ＳＷ２がオン状態になる。外部の信号制御部では第２のスイッチ部ＳＷ２がオン状態となったときに、第１の接触端子２０と第２の接触端子２８のうちの信号用接触端子に制御信号が与えられ、カード１の内部の電子回路が制御される。
【００７５】
さらに、図７に示すロック状態から、カード１を再度Ｙ１方向へ押し込むことで、可動ピン３３とカム溝３２とのロック機構によるロックを外して、カード１を正常に取り出すことができる。ロック機構によるロックが解除されると、スライダ付勢部材３１の付勢力でスライダ３０がＹ２方向へ戻され、同時に切換え付勢部材４５の付勢力で切換え移動部材４０がＹ２方向へ戻される。そして、スライダ３０が初期位置（ｉ）で停止し、カード１が図６に示す取り出し可能位置で保持される。
【００７６】
カード１が図７に示す装填完了位置から図６に示す取り出し可能位置に至る過程で、まず、図１３（Ｅ）に示すように、カード１の後退に伴って可動接点５３が第３の接触接点５２から離れて第２のスイッチ部ＳＷ２がオフ状態となる。この時点で第１のスイッチ部ＳＷ１がオン状態のままである。信号制御部では、第２のスイッチ部ＳＷ２がオフ状態になったときに、第１の接触端子２０と第２の接触端子２８のうちの信号用接触端子への制御信号が断たれる。
【００７７】
図１３（Ｆ）に示すように、カード１とスライダ３０がさらにＹ２方向へ移動する途中で、切換え移動部材４０が一緒にＹ２方向へ移動し、可動接点４１が第１の接触接点２６と第２の接触接点２４から離れて第１のスイッチ部ＳＷ１がオフ状態に切り換えられる。よって、スライダ３０が図６に示す初期位置（ｉ）となり、カード１が取り出し可能位置に保持されているときは、既に、第１の接触端子２０のうちの電力供給用接触端子２１への電源電圧の供給が断たれている。また、カード１が図６に示す取り出し可能位置にあるとき、後列電極部５が第１の接触端子２０からＹ２方向へわずかに離れ、前列電極部６が第２の接触接点２８からＹ２方向へわずかに離れている。
【００７８】
図６に示す取り出し可能位置にあるカード１が、手で保持されてＹ２方向へ引かれると、カード１の凹部４がスライダ３０の保持凸部３５から外れて、カード１が取り出される。カード１が引き抜かれるときに、前列電極部６が電力供給用接触端子２１の接触部２１ｂに接触してＹ２方向へ移動するときがあるが、この時点で第１のスイッチ部ＳＷ１がオフ状態であるため、電力供給用接触端子２１から前列電極部６に電力が供給されることはない。
【００７９】
次に、図７に示すように、スライダ３０がロック位置（ｉｉｉ）にロックされている状態で、カード１が強引にＹ２方向へ引っ張られたときに、カード１の凹部４がスライダ３０の保持凸部３５から離れて、カード１がＹ２方向へ引き出されることがある。この場合、図８に示すように、切換え付勢部材４５でＹ２方向へ付勢されている切換え移動部材４０が、カード１のＹ２方向への移動に追従してＹ２方向へ移動する。切換え移動部材４０がＹ２方向へ移動し始めた直後に、可動接点４１が第１の接触接点２６と第２の接触接点２４から離れるので、第１のスイッチ部ＳＷ１が直ちにオフ状態になり、電力供給用接触端子２１への電力が断たれる。よって、カード１が強引に引き抜かれて、前列電極部６が電力供給用接触端子２１の接触部２１ｂに接触しても、前列電極部６に予測外の電力が供給されるのを防止できる。
【００８０】
上記カード用コネクタ１０は、カード１を保持して移動するスライダ３０の他に、常にカード１に追従してＹ１−Ｙ２方向へ移動する切換え移動部材４０が設けられ、この切換え移動部材４０で第１のスイッチ部ＳＷ１が動作させられる。その結果、カード１がカード用コネクタ１０内で排出方向（Ｙ２方向）へ移動するときには、必ず第１のスイッチ部ＳＷ１がオフ状態になり、前列電極部６が電力供給用接触端子２１を通過するときに、電力供給用接触端子２１への電源電圧の供給を断つことができる。
【００８１】
また、第１のスイッチ部ＳＷ１は、電源供給用固定端子２５と、電力供給用接触端子２１との導通を断続するものである。そのため、第１のスイッチ部ＳＷ１の切換え信号を外部の信号制御部に送らなくても、カード用コネクタ１０の内部において電力供給用接触端子２１への電源電圧の供給を断つことができる。よって、電源供給用固定端子２５には常に電源電圧を印加しておけばよく、電源電圧を断続するための外部回路が不要である。
【００８２】
図９と図１０に示すカード用コネクタ１１０は、合成樹脂製のハウジング基台１１２と、ハウジング基台１１２を覆う金属製のハウジング蓋体を有している。図９と図１０は、ハウジング蓋体を取り外したカード用コネクタ１１０の平面図である。
【００８３】
カード用コネクタ１１０のハウジング基台１１２に、装填空間１１４が形成され、Y２方向に開口する挿入口１１４ａが設けられている。ハウジング基台１１２には、図６に示したのと同じ第１の接触端子２０と第２の接触端子２８が設けられている。
【００８４】
図１１に示すように、第１の接触端子２０は、最も右側に位置する電力供給用接触端子２１と複数の他の接触端子２２とで構成されている。ハウジング基台１１２に、電力供給用接触端子２１と導通する第２の接触接点２４と、電力供給用固定端子２５と導通する第１の接触接点２６が設けられている。また、ハウジング基台１１２には、第１の接触端子２０の他の接触端子２２から延びて外部へ突出する外部接続端子２２ｃと、第２の接触端子２８のそれぞれと導通して外部へ突出する外部接続端子２９ａが設けられている。
【００８５】
図９と図１０に示すように、ハウジング基台１１２の右側部に弾性変形可能な薄肉部１３２が形成され、この薄肉部１３２に、装填空間１１４に向けて突出する保持凸部１３５が一体に形成されている。また、保持凸部１３５よりもＹ１側に傾斜ストッパ部１３４が一体に設けられている。
【００８６】
ハウジング基台１１２の右側部に、案内部１３７ａ，１３７ｂが形成されており、この案内部１３７ａ，１３７ｂによって、切換え移動部材１４０がＹ１−Ｙ２方向へ移動自在に支持されている。
【００８７】
図１１に示すように、切換え移動部材１４０は合成樹脂製であり、本体部１４２とＹ２方向へ突出する押圧力作用部１４３が一体に形成されている。図９に示すように、本体部１４２が案内部１３７ａに案内され、押圧力作用部１４３が案内部１３７ｂに案内されている。案内部１３７ａの内部に圧縮コイルスプリングである切換え付勢部材４５が収納されており、この切換え付勢部材４５によって切換え移動部材１４０がＹ２方向へ付勢されている。
【００８８】
切換え移動部材１４０の本体部１４２の底部に導電性の金属材で形成された可動接点１４１が設けられている。この可動接点１４１と、第１の接触接点２６および第２の接触接点２４とで第１のスイッチ部ＳＷ１１が構成されている。
【００８９】
またハウジング基台１１２の装填空間１１４の内部には、Ｙ１側の奥部に、図６に示した構造と同じ第２のスイッチ部ＳＷ２が設けられている。
【００９０】
図９に示すように、第２の実施の形態のカード用コネクタ１１０にカード１が挿入される前は、切換え付勢部材４５によって付勢されている切換え移動部材１４０がＹ２方向へ移動し、押圧力作用部１４３がハウジング基台１１２の傾斜ストッパ部１３４よりもＹ２方向へ突出している。
【００９１】
カード１が挿入口１１４ａから挿入されると、カード１の押圧部３によって押圧力作用部１４３が押され、切換え移動部材１４０がＹ１方向へ移動していく。そして、図１３（Ｃ）に示したように、カード１の前列電極部６が第１の接触端子２０の電力供給用接触端子２１の上を通過した後に、切換え移動部材１４０に支持された可動接点１４１が、第１の接触接点２６と第２の接触接点２４の上に乗り上がって、第１の接触接点２６と第２の接触接点２４とが導通され、第１のスイッチ部ＳＷ１１がオン状態に切り換えられる。
【００９２】
第１のスイッチ部ＳＷ１１がオン状態になる前に、カード１の後列電極部５が既に第１の接触端子２０に接触しており、または第１のスイッチ部ＳＷ１１がオン状態となった直後に後列電極部５が第１の接触端子２０に接触する。また、後列電極部５が第１の接触端子２０に接触するのとほぼ同時に、前列電極部６が第２の接触端子２８に接触し、第２の接触端子２８のうちの電力供給用接触端子から前列電極部６に電力が供給される。
【００９３】
後列電極部５と前列電極部６が第１の接触端子２０と第２の接触端子２８に接触した後に、図１０に示すように、カード１が装填完了位置に至る。このとき、ハウジング基台１１２に設けられた押圧部３が傾斜ストッパ部１３４に当たるとともに、保持凸部１３５がカード１の凹部４に入り込み、カード１が保持凸部１３５と傾斜ストッパ部１３４とで保持される。
【００９４】
カード１が図１０に示す装填完了位置に至ると、図１２（Ｄ）に示すように、第２のスイッチ部ＳＷ２がオン状態になり、第１の接触端子２０と第２の接触端子２８を介して、後列電極部５と前列電極部６に制御信号が与えられる。
【００９５】
第２の実施の形態のカード用コネクタ１１０においても、カード１がＹ２方向へ引き抜かれると、カード１に追従して切換え移動部材１４０がＹ２方向へ移動する。よって、前列電極部６が第１の接触端子２０のうちの電力供給用接触端子２１を通過する前に、第１のスイッチ部ＳＷ１１がオフ状態になり、電力供給用接触端子２１への電源電圧の供給が断たれる。
【００９６】
図１２は、第１の実施の形態のカード用コネクタ１０と第２の実施の形態のカード用コネクタ１１０を構成する要素のうちの代替可能な変形例を示している。
【００９７】
図１２に示す変形例では、切換え付勢部材４５が設けられておらず、切換え移動部材２４０がＹ１−Ｙ２方向へ自由に移動することができる。ただし、ハウジング基台内に、最もＹ２方向へ移動した切換え移動部材２４０を浅い凹凸嵌合で軽くロックする軽ロック機構が設けられている。切換え移動部材２４０が軽ロックされるのは、第１の実施の形態のカード用コネクタ１０の場合には、切換え移動部材４０が図６よりもさらにＹ２方向へ移動した位置であり、第２の実施の形態のカード用コネクタ１１０では、切換え移動部材１４０が図９に示す位置よりもう少しＹ２方向へ移動した位置である。
【００９８】
図１２に示すように、切換え移動部材２４０に、弾性を有する材料などで形成された弾性変形部２３５が設けられ、この弾性変形部２３５に凸状の係合部２３５ａが形成されている。
【００９９】
カード１が挿入口からハウジング基台の内部に挿入されると、軽ロックされている切換え移動部材２４０に設けられた係合部２３５ａとカード１の凹部４とが嵌合する。その後、カード１がＹ１方向へ押し込まれると、軽ロックが外れて切換え移動部材２４０がカード１に追従して移動し、カード１が図７に示す装填完了位置または図１０に示す装填完了位置に至る。そして、カード１の前列電極部６が第１の接触端子２０を通過した後に、第１のスイッチ部ＳＷ１がオン状態になる。
【０１００】
カード１がハウジング基台内にあるときは、係合部２３５ａと凹部４との嵌合が継続している。よって、カード１が引き抜かれると、カード１に追従して切換え移動部材２４０がＹ２方向へ移動して再び軽ロックされる。カード１がＹ２方向へ移動するときに、ＳＷ１がオフ状態になってから、前列電極部６が第１の接触端子２０の上を移動する。
【０１０１】
図１２に示す変形例での第１のスイッチ部ＳＷ１１１は、配線体２３を介して電力供給用接触端子２１に導通する第２の接触接点２４と、電力供給用固定端子２５と導通する第１の接触接点２６とが、共に弾性変形可能であり、左右方向に対向している。切換え移動部材２４０に可動接点２４１が一体に設けられている。カード１と共に切換え移動部材２４０がＹ１方向へ移動し、前列電極部６が第１の接触端子２０を通過した後に、可動接点２４１によって第２の接触接点２４が右方向へ押されて変形し、第１の設置接点２６と接触して、第１のスイッチ部ＳＷ１１１がオン状態になる。
【０１０２】
なお、軽ロック機構は、係合部２３５ａがカード１の凹部４とが嵌合するまでの間、切換え移動部材２４０が移動しないように規制できるものであれば、浅い凹凸嵌合以外の構成としてもよい。例えば、第１の接触接点２６を図２のように底板部からの上向きの突出するようにし、この上向きの突出を利用して切換え移動部材２４０が移動しないようにして軽ロックするようにしてもよい。この場合、切換え移動部材２４０に可動接点を設けることとなる。
【０１０３】
また、第１の実施の形態の切換え移動部材４０と第２の実施の形態の切換え移動部材１４０とを互いに入れ替えて適用してもよい。また、他の構成についても、第１の実施の形態と第２の実施の形態との間で適宜入れ替えて適用することができる。
【符号の説明】
【０１０４】
１  カード
２  ケース
２ｆ  底部
３  押圧部
４  凹部
５  後列電極部
５ａ  電力供給用（電源用）電極部
６  前列電極部
１０  カード用コネクタ
１１  ハウジング
１２  ハウジング基台
１３  ハウジング蓋体
１４  装填空間
１４ａ  挿入口
２０  第１の接触端子
２１  電力供給用接触端子
２２  他の接触端子
２４  第２の接触接点
２５  電力供給用固定端子
２６  第１の接触接点
２８  第２の接触端子
３０  スライダ
３１  スライダ付勢部材
３２  カム溝（ロック機構）
３３  可動ピン（ロック機構）
３４  押圧力作用部
３５  保持凸部
３７ａ，３７ｂ  案内部
４０  切換え移動部材
４１  可動接点
４４  連結部
４５  切換え付勢部材
１１０  カード用コネクタ
１１２  ハウジング基台
１３４  傾斜ストッパ部
１３５  保持凸部
１３７ａ，１３７ｂ  案内部
１４０  切換え移動部材
１４１  可動接点
１４３  押圧力作用部
２３５ａ  係合部
２４０  切換え移動部材
ＳＷ１、ＳＷ１１，ＳＷ１１１  第１のスイッチ（スイッチ部）
ＳＷ２  第２のスイッチ
【図１】
0005730673.tif 000002
【図２】
0005730673.tif 000003
【図３】
0005730673.tif 000004
【図４】
0005730673.tif 000005
【図５】
0005730673.tif 000006
【図６】
0005730673.tif 000007
【図７】
0005730673.tif 000008
【図８】
0005730673.tif 000009
【図９】
0005730673.tif 000010
【図１０】
0005730673.tif 000011
【図１１】
0005730673.tif 000012
【図１２】
0005730673.tif 000013
【図１３】
0005730673.tif 000014